(57)【特許請求の範囲】
【請求項１】
ブラケット本体と、前記ブラケット本体に対してスライド可能に支持されるスライドブロックと、前記スライドブロックを前記ブラケット本体から離れる方向に付勢する付勢部材とを備え、
前記ブラケット本体は、本体掛止部を備え、前記スライドブロックは、スライドブロック掛止部を備え、前記本体掛止部と前記スライドブロック掛止部によってヘッドボックスの前後両縁を支持可能であるヘッドボックスの取付ブラケットであって、
前記ブラケット本体は、上壁と、前記上壁の両側から下方に向けられた第１及び第２側壁とを備え、
前記スライドブロックは、両側面から突出する第１及び第２係合凸部を備え、第１及び第２側壁は、第１及び第２係合凸部と係合して前記スライドブロックを前記ブラケット本体に対してスライド可能に支持する第１及び第２スライド孔を備え、
前記ブラケット本体は、前記ヘッドボックスの上面に対向する領域においては、第１及び第２側壁の何れからも内側方向への突出部を備えず、前記ヘッドボックスの上面に対向しない領域において前記スライドブロック掛止部に加わる荷重を受ける支持部を備える、ヘッドボックスの取付ブラケット。
【請求項２】
第１及び第２係合凸部は、幅方向外側に向かって低くなるテーパー面を備える、請求項１に記載の取付ブラケット。
【請求項３】
第１及び第２係合凸部は、それぞれ、前記スライドブロックに設けられた第１及び第２両持ちアームに設けられている、請求項１又は請求項２に記載の取付ブラケット。
【請求項４】
前記支持部は、前記本体掛止部と前記スライドブロック掛止部によって前記ヘッドボックスが支持されている状態において前記スライドブロック掛止部を下側から支持可能な位置に設けられる、請求項１〜請求項３の何れか１つに記載の取付ブラケット。
【請求項５】
前記支持部は、第１及び第２側壁をそれぞれ内側に折り曲げて形成される請求項４に記載の取付ブラケット。
【請求項６】
前記支持部は、前記スライドブロック掛止部よりも幅方向外側に位置する第１及び第２後方側部において前記スライドブロックを支持する、請求項５に記載の取付ブラケット。
【請求項７】
第１及び第２後方側部の下面は、前記本体掛止部と前記スライドブロック掛止部によってヘッドボックスが支持されている状態での前記ヘッドボックスの後縁と略同じ高さである、請求項６に記載の取付ブラケット。
【請求項８】
前記スライドブロックは、幅方向外側に突出する仮止突出部を有する仮止アームを備え、前記ブラケット本体は、前記本体掛止部と前記スライドブロック掛止部によって前記ヘッドボックスが支持される状態よりも前記本体掛止部と前記スライドブロック掛止部が離れた状態で前記仮止突出部を係止する仮止係止部を備える、請求項１〜請求項７の何れか１つに記載の取付ブラケット。
【請求項９】
前記仮止突出部の上側の面には、幅方向外側に向かって低くなる上方テーパー面が設けられる、請求項８に記載の取付ブラケット。
【請求項１０】
前記付勢部材は、コイルスプリングであり、
前記スライドブロックは、前記コイルスプリングを収容するコイルスプリング収容部を備え、
前記ブラケット本体は、前記上壁から前記コイルスプリング収容部内に突出するコイルスプリング当接部を備える、請求項１〜請求項９の何れか１つに記載の取付ブラケット。
【発明の詳細な説明】
【技術分野】
【０００１】
この発明は、横型ブラインド、縦型ブラインド、たくし上げカーテン、プリーツスクリーン、ロールブラインド等の日射遮蔽装置のヘッドボックスの取り付けに利用される取付ブラケットに関する。
【背景技術】
【０００２】
特許文献１〜２に記載の取付ブラケットは、ブラケット本体に、弾性を有する合成樹脂等で形成されたスライドブロックをスライド可能に支持している。そして、スライドブロックを待機位置に保持した状態でヘッドボックスの一側をブラケット本体に掛止めし、この状態でヘッドボックスでスライドブロックの係止片を押圧することにより、スライドブロックを付勢手段の付勢力でヘッドボックス保持位置までスライドさせてヘッドボックスの他側を係止するようになっている。ブラケット本体は、上壁の両側が下方へ折り曲げられた側壁と、この側壁の先端が内側に折り曲げられた水平の支持部をと備えており、この支持部によってスライドブロックの下面が支持されることによって、スライドブロックがブラケット本体に対して安定してスライド可能になっている。
【先行技術文献】
【特許文献】
【０００３】
【特許文献１】実用新案登録第３１５０５５５号
【特許文献２】特許２６３６０６１号
【発明の概要】
【発明が解決しようとする課題】
【０００４】
ところで、取付ブラケットを用いてヘッドボックスの取り付けを行った場合、取付ブラケットの上面とヘッドボックスの上面との高さの差の分だけ、ヘッドボックスの上面と天井の間に隙間が空いてしまう。近年、高遮光性の要望が強まり、この隙間からの光漏れを低減させることが要望されている。【０００５】
本発明はこのような事情に鑑みてなされたものであり、ヘッドボックスの上方からの光漏れを低減させることができる取付ブラケットを提供するものである。
【課題を解決するための手段】
【０００６】
本発明によれば、ブラケット本体と、前記ブラケット本体に対してスライド可能に支持されるスライドブロックと、前記スライドブロックを前記ブラケット本体から離れる方向に付勢する付勢部材とを備え、前記ブラケット本体は、本体掛止部を備え、前記スライドブロックは、スライドブロック掛止部を備え、前記本体掛止部と前記スライドブロック掛止部によってヘッドボックスの前後両縁を支持可能であるヘッドボックスの取付ブラケットであって、前記ブラケット本体は、上壁と、前記上壁の両側から下方に向けられた第１及び第２側壁とを備え、前記スライドブロックは、両側面から突出する第１及び第２係合凸部を備え、第１及び第２側壁は、第１及び第２係合凸部と係合して前記スライドブロックを前記ブラケット本体に対してスライド可能に支持する第１及び第２スライド孔を備え、前記ブラケット本体は、前記ヘッドボックスの上面に対向する領域においては、第１及び第２側壁の何れからも内側方向への突出部を備えず、前記ヘッドボックスの上面に対向しない領域において前記スライドブロック掛止部に加わる荷重を受ける支持部を備える、ヘッドボックスの取付ブラケットが提供される。【０００７】
スライドブロックにはヘッドボックスから荷重が加わるので、その荷重を受けるための支持部を設けることが必須である。そのため、全ての従来技術においては、ヘッドボックスの上面に対向する領域において側壁から内側方向へ突出する突出部を設けて、この突出部によってスライドブロックを支持していた。本発明者らは光漏れ低減の方法についての検討の際に、この突出部の存在が、取付ブラケットの上面とヘッドボックスの上面との高さの差を小さくすることを阻害していることに気付き、この突出部を無くすことを検討した。そして、ヘッドボックスから荷重は主にスライドブロック掛止部に加わっているため、スライドブロック掛止部をしっかりと支持し、スライドブロックの側面の係合凸部を取付ブラケットの側壁のスライド孔に係合させておけば、ヘッドボックスの上面に対向する領域に支持部に設けなくてもスライドブロックがブラケット本体から脱落しないことが分かり、本発明の完成に到った。従来は、ヘッドボックスの上面に対向する領域に突出部を設けてスライドブロックの荷重を受けることが本発明の分野の常識であったので、この突出部を無くすことは常識外れの設計であるので問題なく動作するかどうか不安であったが、実機で実証したところ全く問題なく動作し、ヘッドボックス上方からの光漏れを低減させることができた。【０００８】
以下、本発明の種々の実施形態を例示する。以下に示す実施形態は互いに組み合わせ可能である。
好ましくは、第１及び第２係合凸部は、幅方向外側に向かって低くなるテーパー面を備える。
好ましくは、第１及び第２係合凸部は、それぞれ、前記スライドブロックに設けられた第１及び第２両持ちアームに設けられている。
好ましくは、前記支持部は、前記本体掛止部と前記スライドブロック掛止部によって前記ヘッドボックスが支持されている状態において前記スライドブロック掛止部を下側から支持可能な位置に設けられる。
好ましくは、前記支持部は、第１及び第２側壁をそれぞれ内側に折り曲げて形成される。
好ましくは、前記支持部は、前記スライドブロック掛止部よりも幅方向外側に位置する第１及び第２後方側部において前記スライドブロックを支持する。
好ましくは、第１及び第２後方側部の下面は、前記本体掛止部と前記スライドブロック掛止部によってヘッドボックスが支持されている状態での前記ヘッドボックスの後縁と略同じ高さである。
好ましくは、前記スライドブロックは、幅方向外側に突出する仮止突出部を有する仮止アームを備え、前記ブラケット本体は、前記本体掛止部と前記スライドブロック掛止部によって前記ヘッドボックスが支持される状態よりも前記本体掛止部と前記スライドブロック掛止部が離れた状態で前記仮止突出部を係止する仮止係止部を備える。
好ましくは、前記仮止突出部の上側の面には、幅方向外側に向かって低くなる上方テーパー面が設けられる。
好ましくは、前記付勢部材は、コイルスプリングであり、前記スライドブロックは、前記コイルスプリングを収容するコイルスプリング収容部を備え、前記ブラケット本体は、前記上壁から前記コイルスプリング収容部内に突出するコイルスプリング当接部を備える。
【図面の簡単な説明】
【０００９】
【図１】本発明の第１実施形態の取付ブラケット３の斜視図である。
【図２】図１の取付ブラケット３の分解斜視図である。
【図３】図３（ａ）は図２の領域Ａの拡大図であり、図３（ｂ）は別の角度から見た斜視図であり、図３（ｃ）は、図１の領域Ａの拡大図である。
【図４】図２を別の角度から見た斜視図である。
【図５】図５は、スライドブロック７をブラケット本体５に取り付ける方法の説明図であり、図５（ａ），（ｃ），（ｅ）は右側面図であり、（ｂ），（ｄ），（ｆ）は、図６（ｂ）の断面Ｃに対応した断面図である。
【図６】図６は、ヘッドボックス１を取付ブラケット３に取り付けている途中の図であり、図６（ａ）は右側面図、図６（ｂ）は図６（ａ）からブラケット本体５の上壁５ｂを取り除いた平面図であり、図６（ｃ）〜（ｅ）は図６（ｂ）中の断面Ａ〜Ｃに対応する断面図である。
【図７】図７は、ヘッドボックス１を取付ブラケット３に取り付けた後の図であり、図７（ａ）〜（ｄ）は、図６（ａ）〜（ｃ）及び（ｅ）に対応する図である。
【図８】図８（ａ）は、図６（ａ）中の領域Ｘの拡大図であり、図８（ｂ）は、図６（ｅ）中の領域Ｙの拡大図であり、図８（ｃ）は、図９に示すように取付ブラケット３の前後方向の位置がずれた場合の図８（ｂ）に対応する図である。図８（ｄ）は、図７（ａ）中の領域Ｘの拡大図であり、図８（ｅ）は、図７（ｄ）中の領域Ｙの拡大図であり、図８（ｆ）は、図９に示すように取付ブラケット３の前後方向の位置がずれた場合の図８（ｅ）に対応する図である。
【図９】複数の取付ブラケット３の前後方向の位置が互いにずれている状態を示す、取付ブラケット３を下から見た底面図である。
【図１０】図１０（ａ）〜（ｆ）は、本発明の第２実施形態の取付ブラケット３を示す、図８（ａ）〜（ｆ）に対応した図である。
【図１１】図１１は、本発明の第３実施形態の取付ブラケット３を示す、図７（ｃ）に対応した図である。
【図１２】本発明の第４実施形態の取付ブラケット３の斜視図である。
【図１３】図１２中の領域Ａの斜視図である。
【図１４】（ａ）は、図１３からブラケット本体５を除いて露出したスライドブロック７の斜視図である。（ｂ）は、（ａ）の平面図である。
【図１５】（ａ）〜（ｂ）は、本発明の第４実施形態の取付ブラケット３を示し、（ａ）は、図６（ａ）に対応する図であり、（ｂ）は、図７（ａ）に対応する図である。
【発明を実施するための形態】
【００１０】
以下、本発明の実施形態について説明する。以下に示す実施形態中で示した各種特徴事項は、互いに組み合わせ可能である。
【００１１】
１．第１実施形態
まず、本発明の第１実施形態の取付ブラケット３の全体構成を説明する。
図１〜図９に示すように、ヘッドボックス１を取着可能である取付ブラケット３は、ブラケット本体５と、ブラケット本体５に対してスライド可能に支持されるスライドブロック７と、スライドブロック７がブラケット本体５から離れる方向にスライドブロック７を付勢するコイルスプリング（付勢部材）９とを備える。通常、ブラケット本体５は、金属板を折り曲げて形成され、スライドブロック７は、弾性を有する合成樹脂で成形される。「スライドブロック７がブラケット本体５から離れる方向」とは、言い換えると、スライドブロック７の前端部７ｌがブラケット本体５から離れる方向（図１の前側方向）であり、別の表現では、スライドブロック掛止部７ａと本体掛止部５ａｃ，５ａｄの間の距離が狭まる方向である。
【００１２】
ブラケット本体５は、第１及び第２本体掛止部５ａｃ，５ａｄを備え、スライドブロック７は、スライドブロック掛止部７ａを備える。図６〜図７に示すように、本体掛止部５ａｃ，５ａｄとスライドブロック掛止部７ａによってヘッドボックス１の前後両縁１ａ，１ｂが支持されることによって、ヘッドボックス１が取付ブラケット３に固定される。図１〜図２に示すように、２つの本体掛止部５ａｃ，５ａｄのうち、一方（第１本体掛止部５ａｃ）にのみ、ヘッドボックス１の前縁１ａが本体掛止部５ａｃ，５ａｄから外れることを防ぐ係止部５ｔｃが設けられる。係止部５ｔｃを両方の本体掛止部５ａｃ，５ａｄに設けた場合に比べて、複数の取付ブラケット３の前後方向の位置がずれた場合でもヘッドボックス１を本体掛止部５ａｃ，５ａｄに支持させることが容易になり、施工性が向上し且つヘッドボックス１を取り付け後の安定性が向上する（後で詳細に説明する）。
【００１３】
ブラケット本体５は、上壁５ｂと、上壁５ｂの両側から下方に向けられた側壁５ｃ，５ｄとを備える。側壁５ｃ，５ｄは、通常、上壁５ｂの両側を直角に折り曲げて形成される。本体掛止部５ａｃ，５ａｄは、フック状の本体掛止部５ａｃ，５ａｄが残るように側壁５ｃ，５ｄを切り抜いて形成される。スライドブロック７は、本体部７ｂの両側面から突出する係合凸部７ｃ、７ｄを備える。側壁５ｃ，５ｄは、係合凸部７ｃ、７ｄと係合して前記スライドブロック７をブラケット本体５に対してスライド可能に支持するスライド孔５ｃｓ，５ｄｓを備える。ブラケット本体５は、垂直な壁面への取り付けに用いる垂直壁５ｈも備える。上壁５ｂ及び垂直壁５ｈには、それぞれ取付孔５ｂｈ，５ｈｈが設けられており、取付孔５ｂｈ，５ｈｈにビスを挿通させて、取付ブラケット３を天井面又は壁面（図示せず）に固定する。
【００１４】
図２及び図７に示すように、ブラケット本体５は、ヘッドボックス１の上面に対向する領域１ｃにおいては、側壁５ｃ，５ｄの何れからも内側方向への突出部を備えておらず、ヘッドボックス１の上面に対向しない領域１ｄにおいてスライドブロック掛止部７ａに加わる荷重を受ける支持部５ｅを備える。図７に示すように、支持部５ｅは、本体掛止部５ａｃ，５ａｄとスライドブロック掛止部７ａによってヘッドボックス１が支持されている状態においてスライドブロック掛止部７ａを下側から支持可能な位置に設けられる。支持部５ｅは、側壁５ｃ，５ｄをそれぞれ内側に折り曲げて形成される。また、支持部５ｅは、スライドブロック掛止部７ａよりも幅方向外側に位置する後方側部７ｃｅ，７ｄｅにおいてスライドブロック７を支持する。図７に示すように、本体掛止部５ａｃ，５ａｄとスライドブロック掛止部７ａによってヘッドボックス１が支持されている状態では、後方側部７ｃｅ，７ｄｅの下面は、ヘッドボックス１の後縁１ｂと略同じ高さになる。
【００１５】
スライドブロック７は、幅方向外側に突出する仮止突出部７ｇを有する仮止アーム７ｆを備える。仮止突出部７ｇは、図３に示すように、幅方向外側に向かって低くなる上側テーパー面７ｇａが設けられている。ブラケット本体５には、ヘッドボックス１を支持するときよりも、図６に示すように本体掛止部５ａｃ，５ａｄとスライドブロック掛止部７ａが離れた状態で仮止突出部７ｇを係止する仮止係止部５ｇを備える。図３に示すように、仮止係止部５ｇは、仮止突出部７ｇを幅方向内側に導く前側テーパー面５ｇｆを前側に有し、仮止係止部５ｇの後側の後側切欠５ｃｕの上面には、幅方向内側に向いたテーパー面５ｃｔが設けられる。さらに、仮止突出部７ｇは、図３に示すように、仮止係止部５ｇによって係止される前側係止面７ｇｃを前側に有し、幅方向内側に傾斜する後側テーパー面７ｇｂを後側に有し、下側に突出する下側突起７ｇｕを下側に有する。
【００１６】
図４に示すように、スライドブロック７の後方側部７ｄｅから前方に向かって、コイルスプリング９を収容するコイルスプリング収容部７ｉが設けられる。図６（ｄ）に示すように、コイルスプリング収容部７ｉの底面には、コイルスプリング９の直径よりも幅が狭い溝７ｊが設けられる。このような溝７ｊを設けることによってコイルスプリング９の落下を防ぎつつ、できるだけ直径が大きいコイルスプリング９を使用することを可能にしている。ブラケット本体５には、上壁５ｂからコイルスプリング収容部７ｉ内に突出するコイルスプリング当接部５ｉを備える。
【００１７】
次に、本実施形態の取付ブラケット３の組立方法について説明する。
まず、図５（ａ）〜（ｂ）に示すように、ブラケット本体５と、スライドブロック７と、コイルスプリング９を準備し、コイルスプリング９をスライドブロック７のコイルスプリング収容部７ｉ内に収容する。
次に、図５（ｃ）〜（ｄ）に示すように、スライドブロック７の後方側部７ｃｅ，７ｄｅを、ブラケット本体５の支持部５ｅと上壁５ｂの間に挿入する。この際、コイルスプリング９の一端をコイルスプリング当接部５ｉに当接させる。
そのまま、スライドブロック７を押し込み、かつ係合凸部７ｃ，７ｄをスライド孔５ｃｓ，５ｄｓに係合させて、図５（ｅ）〜（ｆ）に示す状態にして、取付ブラケット３の組み立てが完了する。係止凸部７ｃ，７ｄは、ブラケット本体５の下側から側壁５ｃ，５ｄを乗り越えて、スライド孔５ｃｓ，５ｄｓに係合させるので、この係合に必要な力を低減するように、図４に示すように、係合凸部７ｃ，７ｄの上側の面には、幅方向外側に向かって低くなるテーパー面７ｃｔ，７ｄｔが形成されている。
【００１８】
また、図４に示すように、係合凸部７ｃ，７ｄは、スライドブロック７に設けられた両持ちアーム７ｃａ，７ｄａに設けられている。片持ちアームではなく両持ちアーム７ｃａ，７ｄａに設けられているので、係合凸部７ｃ，７ｄを幅方向の内側に押し込むには比較的強い力が必要であり、そのため、係合凸部７ｃ，７ｄは、スライド孔５ｃｓ，５ｄｓからは容易に外れない。このために、係合凸部７ｃ，７ｄは、スライドブロック７を支持する支持部として機能する。従来技術においては、片持ちアームに係合凸部が設けられているものがあるが、このような係合凸部は弱い力でも幅方向の内側に押し込まれてしまい、支持部としては機能しない。
【００１９】
次に、取付ブラケット３にヘッドボックス１を取り付ける方法について説明する。
まず、ヘッドボックス１を取り付ける前に、図６に示すように、スライドブロック７をブラケット本体５の方向に押し込んで、仮止突出部７ｇを仮止係止部５ｇに係合させる。これによって、スライドブロック７が仮止めされて、スライドブロック掛止部７ａが本体掛止部５ａｃ，５ａｄから離れた状態で保持される。より詳しくは、スライドブロック７をブラケット本体５の方向に押し込むと、最初に図３に示す後側テーパー面７ｇｂが仮止係止部５ｇの前側テーパー面５ｇｆに当接し、そのまま押しこむと仮止アーム７ｆが弾性変形して仮止突出部７ｇが幅方向内側に押し込まれて側壁５ｃの内側に入り込み、その状態からスライドブロック７をさらに押し込むと、仮止突出部７ｇが仮止係止部５ｇを乗り越えて、後側切欠５ｃｕ内に入り込む。そして、仮止突出部７ｇの前側係止面７ｇｃが仮止係止部５ｇに係止される。スライドブロック７は、コイルスプリング９によってブラケット本体５から離れる方向に付勢されているが、前側係止面７ｇｃが仮止係止部５ｇによって係止されることによって、スライドブロック７の前方への移動が阻止される。なお、スライドブロック７は、仮止突出部７ｇとは反対側の側面に低い突起７ｋを有し、この突起７ｋがブラケット本体５の側壁５ｄに当接して、ブラケット本体５に対するスライドブロック７の幅方向のガタつきを低減して、仮止突出部７ｇが仮止係止部５ｇから外れることを防いでいる。
【００２０】
次に、図６〜図７に示すように、ヘッドボックス１の前縁１ａを本体掛止部５ａｃ，５ａｄに支持させながら、ヘッドボックス１の後側を持ち上げて、ヘッドボックス１の後縁１ｂをスライドブロック掛止部７ａに支持させる。この際、ヘッドボックス１の後側の上面１ｅが、仮止突出部７ｇの下側にある下側突起７ｇｕに当接して、仮止突出部７ｇを上方に押し上げる。図３に示すように、仮止突出部７ｇの上側の面には、幅方向外側に向かって低くなる上側テーパー面７ｇａが設けられているので、仮止突出部７ｇが押し上げられると、仮止突出部７ｇは幅方向内側に押し込まれて側壁５ｃの内側に入り込むことにより、前側係止面７ｇｃと仮止係止部５ｇとの係合が外れる。これによって、コイルスプリング９による付勢力によりスライドブロック７がブラケット本体５から離れる方向に移動し、本体掛止部５ａｃ，５ａｄとスライドブロック掛止部７ａの間の距離が狭まって、図７に示すように、本体掛止部５ａｃ，５ａｄとスライドブロック掛止部７ａの間にヘッドボックス１が保持される。なお、後側切欠５ｃｕの上面には幅方向外側に向かって低くなるテーパー面５ｃｔが設けられているので、上側テーパー面７ｇａと側壁５ｃとが面で接触して上側テーパー面７ｇａの摩耗が低減され、かつ仮止突出部７ｇが幅方向内側に移動しやすくなっている。さらに、仮止係止部５ｇの後側には、前側テーパー面５ｇｆが設けられているので、仮止突出部７ｇが幅方向内側に押し込まれた状態から開放されて、図３（ｃ）に示すような、前側切欠５ｃｆ内に入った状態に戻りやすい。
【００２１】
スライドブロック７の前側では、係合凸部７ｃ，７ｄの下面がスライド孔５ｃｓ，５ｄｓで支持され、後側では、後方側部７ｃｅ，７ｄｅが支持部５ｅで支持される。ヘッドボックス１からの荷重の多くは、スライドブロック掛止部７ａを通じてスライドブロック７の後側に加わるので、ヘッドボックス１の上面に対向する領域１ｃでは、ブラケット本体５を内側に突出させて別の支持部を設けなくても、スライドブロック７が外れることがない。
【００２２】
ここで、図８〜図９を用いて、ヘッドボックス１を取付ブラケット３に取り付ける際の、ヘッドボックス１の前縁１ａと、本体掛止部５ａｃ，５ａｄと状態について詳細に説明する。
図８（ａ）に示すように、ヘッドボックス１の前縁１ａの先端は下方向に突出しており、この前縁突出部１ａｔが、第１本体掛止部５ａｃの係止部５ｔｃによって係止される。これによって、前縁１ａが本体掛止部５ａｃ，５ａｄで支持され且つ後縁１ｂがスライドブロック掛止部７ａで支持されていない仮止状態において、前縁１ａが本体掛止部５ａｃ，５ａｄから外れることを防ぐことができる。
【００２３】
２つの本体掛止部５ａｃ，５ａｄのうち、第１本体掛止部５ａｃには係止部５ｔｃが設けられているが、図８（ｂ）に示すように、第２本体掛止部５ａｄには係止部５ｔｃが設けられていない。そのため、ヘッドボックス１の前縁１ａは第２本体掛止部５ａｄでは拘束されておらず、図８（ｂ）の矢印Ａで示す方向に移動可能である。
【００２４】
図９に示すように、２つの取付ブラケット３の前後方向の位置が距離ｄだけずれている場合、第１本体掛止部５ａｃに対する前縁１ａの相対位置は図８（ａ）のまま変わらないが、第２本体掛止部５ａｄに対する前縁１ａの相対位置は、図８（ｃ）のように変わることができる。このため、図９のような状態の場合でも特に問題なく、前縁１ａを本体掛止部５ａｃ，５ａｄで支持することができ、施工性に優れている。
【００２５】
また、後縁１ｂをスライドブロック掛止部７ａで支持させた後は、図８（ｄ）に示すように、前縁１ａが第１本体掛止部５ａｃで支持され、かつ図８（ｅ）〜（ｆ）に示すように、前縁１ａの前縁突出部１ａｔが第２本体掛止部５ａｄで支持される。このように、ヘッドボックス１の前縁１ａは、本体掛止部５ａｃ，５ａｄの両方で支持されるので、安定性に優れている。
【００２６】
以上のように、本実施形態では、本体掛止部５ａｃ，５ａｄの一方のみに係止部５ｔｃが設けられているので、施工性及び安定性に優れている。
【００２７】
２．第２実施形態
図１０を用いて、本発明の第２実施形態について説明する。
本実施形態では、本体掛止部５ａｃ，５ａｄ及び前縁１ａの前後方向の長さが第１実施形態よりも長くなっている。このため、図１０（ａ）に示すように、前縁１ａが本体掛止部５ａｃ，５ａｄに支持されている状態でも、前縁１ａは、距離Ｓだけ前後方向に移動可能になっている。従来では本体掛止部５ａｃ，５ａｄに前縁１ａを支持させた状態では、前縁１ａを前後方向に移動可能な範囲は通常は板厚の０．５倍程度であった。本実施形態では、この可動距離Ｓを、前縁１ａの板厚Ｔの１倍以上とすることによって、図９に示すように取付ブラケット３の位置が距離ｄだけ前後方向にずれている場合でも前縁１ａを本体掛止部５ａｃ，５ａｄに容易に支持させることができるようにした。Ｓ／Ｔの値は、施工性の観点からは大きい方が好ましいが、この値が大きいほど、取付ブラケット３がヘッドボックス１から部屋内側に大きく突き出て美観を害することになるので、必要以上に大きくない方が好ましく、施工性と美観の観点からＳ／Ｔは、１〜３が好ましく、１．５〜２．５がさらに好ましい。
【００２８】
本実施形態では、図１０に示すように、第２本体掛止部５ａｄにも係止部５ｔｃが設けられているが、第２本体掛止部５ａｄに対する前縁１ａの相対位置は、図１０（ｃ）のように変わることができるので、取付ブラケット３の位置が前後方向にずれている場合でも、ヘッドボックス１を容易に取り付けることができる。
【００２９】
なお、本実施形態においても、係止部５ｔｃは、第１本体掛止部５ａｃのみに設けることが好ましい。この場合、取付ブラケット３がヘッドボックス１から部屋内側に突き出る長さを変えることなく、施工性を向上させることができるからである。
【００３０】
３．第３実施形態
図１１を用いて、本発明の第３実施形態について説明する。
第１及び第２実施形態では、スライドブロック掛止部７ａに加わる荷重を後方側部７ｃｅ，７ｄｅに当接する支持部５ｅで受けていたが、本実施形態では、図１１に示すように、支持部５ｅは、スライドブロック掛止部７ａの下面７ｈに当接するように設けられる。その場合、支持部５ｅは、ブラケット本体５の垂直壁５ｈを切り曲げて形成することができる。
【００３１】
４．第４実施形態
図１２〜図１５を用いて、本発明の第４実施形態について説明する。
本実施形態の取付ブラケット３は、第１実施形態に類似しているが、仮止アーム７ｆ、仮止突出部７ｇ及び仮止係止部５ｇの構成が異なっている。以下、第１実施形態との差異点を中心に説明する。
本実施形態では、図１４に示すように、仮止アーム７ｆから幅方向外側に突出するように仮止突出部７ｇが設けられる。仮止アーム７ｆには幅方向内側に突出する内側突出部７ｆｔが設けられ、内側突出部７ｆｔが、本体部７ｂに当接することによって仮止アーム７ｆが幅方向内側に屈曲することが妨げられる。また、仮止アーム７ｆは、屈曲部７ｆｋにおいて上方に向かって屈曲している。仮止突出部７ｇは、屈曲部７ｆｋよりも、仮止アーム７ｆの先端側に設けられる。仮止突出部７ｇに隣接した位置には、下側に突出する下側突起７ｇｕが設けられる。
【００３２】
また、図１３に示すように、ブラケット本体５に設けられた仮止係止部５ｇの前側には、仮止突出部７ｇを上方向に導く前側テーパー面５ｇｆが設けられ、仮止突出部７ｇの、前側テーパー面５ｇｆに当接する側には、後側テーパー面７ｇｂが設けられる。また、仮止係止部５ｇの後側には後側係止面５ｇｂが設けられ、仮止突出部７ｇの前側には前側係止面７ｇｃが設けられる。
【００３３】
次に、取付ブラケット３にヘッドボックス１を取り付ける方法について説明する。
まず、図１３に示す状態（つまり、仮止突出部７ｇが、前側切欠５ｃｆ内に位置している状態）から、スライドブロック７を後側方向に押すと、仮止突出部７ｇの後側テーパー面７ｇｂが仮止係止部５ｇの前側テーバー面５ｇｆに当接し、スライドブロック７を後側方向にさらに押し込むと、仮止突出部７ｇが仮止係止部５ｇを乗り越えて、図１５（ａ）に示す状態となる。スライドブロック７は、コイルスプリング９によって、常に、前側方向に付勢されており、仮止突出部７ｇの前側係止面７ｇｃが仮止係止部５ｇの後側係止面５ｇｂに当接することによって、スライドブロック７が前側方向に移動することが妨げられる。これによって、スライドブロック７が仮止めされる。この状態では、仮止突出部７ｇは、後側切欠５ｃｕ内に位置している。
【００３４】
次に、図１５（ａ）〜（ｂ）に示すように、ヘッドボックス１の前縁１ａを本体掛止部５ａｃ，５ａｄに支持させながら、ヘッドボックス１の後側を持ち上げて、ヘッドボックス１の後縁１ｂをスライドブロック掛止部７ａに支持させる。この際、ヘッドボックス１の後側の上面１ｅが、下側突起７ｇｕに当接して、仮止突出部７ｇを上方に押し上げる。仮止突出部７ｇが上方に移動して、前側係止面７ｇｃと後側係止面５ｇｂの間の係合が外れると、コイルスプリング９による付勢力によりスライドブロック７が前側に移動し、本体掛止部５ａｃ，５ａｄとスライドブロック掛止部７ａの間の距離が狭まって、図１５（ｂ）に示すように、本体掛止部５ａｃ，５ａｄとスライドブロック掛止部７ａの間にヘッドボックス１が保持される。
【００３５】
上記実施形態の取付ブラケット３は、以下の態様で実施することもできる。
・垂直壁５ｈは、必須ではなく、省略可能である。
・上記実施形態では、本体掛止部５ａｃ，５ａｄが前後方向の外側から前縁１ａを支持する内掛け式であるが、本体掛止部５ａｃ，５ａｄが前後方向の内側から前縁１ａを支持する外掛け式であってもよい。
・２つの本体掛止部５ａの両方に係止部５ｔｃを設けてもよい。
・スライドブロック７の仮止めは必須ではなく、仮止アーム７ｆと仮止突出部７ｇは必須ではない。
【符号の説明】
【００３６】
１：ヘッドボックス
１ａ：前縁
１ｂ：後縁
１ｃ：ヘッドボックス１の上面に対向する領域
１ｄ：ヘッドボックス１の上面に対向しない領域
３：取付ブラケット
５：ブラケット本体
５ａｃ，５ａｄ：本体掛止部
５ｔｃ：係止部
７：スライドブロック
７ａ：スライドブロック掛止部
９：コイルスプリング
【図１】
0006031595.tif 000002
【図２】
0006031595.tif 000003
【図３】
0006031595.tif 000004
【図４】
0006031595.tif 000005
【図５】
0006031595.tif 000006
【図６】
0006031595.tif 000007
【図７】
0006031595.tif 000008
【図８】
0006031595.tif 000009
【図９】
0006031595.tif 000010
【図１０】
0006031595.tif 000011
【図１１】
0006031595.tif 000012
【図１２】
0006031595.tif 000013
【図１３】
0006031595.tif 000014
【図１４】
0006031595.tif 000015
【図１５】
0006031595.tif 000016